(57)【要約】【課題】フィット性に優れ、着用時の着心地に違和感を覚えることなく着心地が良く着用が行えるシャツを提供する。【解決手段】後身頃、後身頃の左右に開閉可能に連設される左前身頃および右前身頃、首周りに設けられる襟部、並びに、後身頃、左前身頃および右前身頃の左右の肩口に取付けられる袖部、を有するシャツ本体と、シャツ本体の裏面を覆うインナー材とにより構成され、左前身頃の一方端および右前身頃の他方端に設けられた前合わせ部をもつシャツにおいて、インナー材は左前身頃の一方端と、右前身頃の他方端と、にそれぞれ縫着され、左前身頃および右前身頃における肩部と、後身頃における上縁部と、にそれぞれ縫着され、左前身頃の上縁部、右前身頃の上縁部および襟部にそれぞれ縫着され、袖部の袖ぐりに縫着されているが、左前身頃の他方端および後身頃の一方端と、右前身頃の一方端および後身頃の他方端とには縫着されていない。【選択図】図３
0003211725.tif 000002
【実用新案登録請求の範囲】
【請求項１】
後身頃（３）、前記後身頃（３）の左右に開閉可能に連設される左前身頃（２）および右前身頃（２´）、首周りに設けられる襟部（４）、並びに、後身頃（３）、左前身頃（２）および右前身頃（２´）の左右の肩口に取付けられる袖部（６，６´）、を有するシャツ本体（１）と、前記シャツ本体（１）の裏面を覆うインナー材（７）とにより構成され、前記左前身頃（２）の一方端（２ａ）および前記右前身頃（２´）の他方端（２´ａ）に設けられた前合わせ部（８，８´）をもつシャツにおいて、
前記インナー材（７）は、前記シャツ本体（１）の脇部において、前記後身頃（３）、前記左前身頃（２）および前記右前身頃（２´）よりも小さく形成されるとともに、前記シャツ本体（１）よりも高い伸縮性を有する材料から形成されており、
前記インナー材（７）は、記左前身頃（２）の一方端（２ａ）と、前記右前身頃（２´）の他方端（２´ａ）と、にそれぞれ縫着され、
前記左前身頃（２）および前記右前身頃（２´）における肩部（２ｄ，２´ｄ）と、前記後身頃（３）における上縁部（３ｃ）と、にそれぞれ縫着され、
前記左前身頃（２）の上縁部（２ｃ）、前記右前身頃（２´）の上縁部（２´ｃ）および前記襟部（４）にそれぞれ縫着され、
前記袖部（６，６´）の袖ぐり（１２，１２´）に縫着されているが、
前記左前身頃（２）の他方端（２ｂ）および前記後身頃（３）の一方端（３ａ）と、前記右前身頃（２´）の一方端（２´ｂ）および前記後身頃（３）の他方端（３ｂ）とには縫着されていないことを特徴とするシャツ。
【請求項２】
前記シャツ本体（１）は、さらに、前記襟部（４）と前記後身頃（３）との間に設けられる肩ヨーク（５）を有し、
前記インナー材（７）は、前記肩ヨーク（５）における前外縁部（５ａ，５´ａ）および後外縁部（５ｂ）にそれぞれ縫着され、そして、
前記肩ヨーク（５）の上縁部（５ｃ）に縫着されていることを特徴とする請求項１に記載のシャツ。
【請求項３】
前記インナー材（７）が、前開きの袖無しに形成されている、または半袖シャツ型に形成されていることを特徴とする請求項１または２に記載のシャツ。
【請求項４】
前記インナー材（７）が、前記左前身頃（２）における前合わせ部（８，８´）の先端部に内包される芯地材（１８）の裏面に設けられた間隙（Ｐ１）内に、差し込まれた状態で縫着され、
前記インナー材（７）が、前記右前身頃（２´）における前合わせ部（８，８´）の前面に縫着された縦長の前立部材（２１）に縫着されていることを特徴とする請求項１〜請求項３のいずれか一項に記載のシャツ。
【請求項５】
前記インナー材（７）が、前記左前身頃（２）および前記右前身頃（２´）の襟側面から肩口に到る外縁部と、前記後身頃（３）の上縁部（３ｃ）と、前記肩ヨーク（５）の外縁部（５ａ，５´ａ）と、に重ね合わされた状態でステッチ縫い、またはロック縫いされており、
前記インナー材（７）が、台襟部（１４）の表地（１５）、および裏地（１６）の間に、芯地材（１８）を介装して前記肩ヨーク（５）の上縁部（５ｃ）と、前記左前身頃（２）の上縁部（２ｃ）と、前記右前身頃（２´）の上縁部（２´ｃ）とを差し込んで縫着されていることを特徴とする請求項２〜請求項４のいずれか一項に記載のシャツ。
【請求項６】
前記インナー材（７）が、前記シャツ本体（１）の前記左前身頃（２）、前記右前身頃（２´）、前記後身頃（３）により構成される袖ぐり（１２，１２´）の全周にインターロック縫いにて縫着されていることを特徴とする請求項１〜請求項５のいずれか一項に記載のシャツ。
【考案の詳細な説明】
【技術分野】
【０００１】
本考案は左前身頃および右前身頃の前合わせ部相互を開閉可能となすドレスシャツ又はカジュアルシャツ（以下、単にシャツともいう。）に関する。さらに詳しくは、シャツ本体の裏面にインナー材を縫着させることにより肌着の着用を不要とし、着脱が容易であり、フィット性に優れ、着用時の違和感がなく、さらに着崩れがない、前合わせ部をもつシャツに関する。
【背景技術】
【０００２】
従来、例えばウェア本体と、ウェア本体の内側に配置されたインナーとを備えている上半身用衣服が提案されている。この上半身用衣服は、インナーとウェア本体の肩部同士、および襟ぐり同士を一体化されており、インナーは、インナー本体と、インナー本体の前身頃に一体化された第１負荷片および第２負荷片とを備えており、これら第１負荷片および第２負荷片は、インナー本体の素材生地に比べて低伸縮かつ高弾力のメッシュ生地で形成されており、第１負荷片は、アンダーバスト部分の高さを左右に横断する横長の基部と、該基部の長手方向中央部から上方に連出され、着用者の乳房部の間に圧接する縦長の連出部とからなる逆Ｔ字状を呈しており、基部の左右端部は、前身頃の左右脇縁に至り、連出部の上端部は、前身頃の襟ぐりの中央部に到っており、第２負荷片は、前身頃の左右の袖ぐりに沿って配置され、各第２負荷片の上端部は、前身頃の肩部周縁に到り、各第２負荷片の下端部は、前身頃の左右脇縁に至って基部の左右端部に重なっている構成により、負荷片により短時間での運動機能を高揚し、また、着用時のシルエットを自然にするものである（例えば、特許文献１参照）。
【先行技術文献】
【特許文献】
【０００３】
【特許文献１】実用新案登録第３１４３２１１号公報
【考案の概要】
【考案が解決しようとする課題】
【０００４】
ところで、上記特許文献１に記載の上半身用衣服は、ウェア本体の内側にインナーを備えているが、この上半身用衣服は、運動にあてる時間が捻出できないサラリーマンやＯＬが、着用することにより、インナーのインナー本体の素材生地に設けられたメッシュ生地よりなる低伸縮の負荷片により、短時間での運動機能を高めるのを意図することを目的とするものである。そして、上記特許文献１に記載の上半身用衣服は、ウェア本体の裏面にインナーを肩部同士、および袖ぐり同士との２個所にて縫着させる構成により一体にさせるものであり、運動機能を高めるのを意図してなされたものであるため、引用文献１に示された上半身用衣服のウェア本体とインナーとの縫着構造では、そのまま外着として着用しても、その着心地に違和感を覚え、着心地が悪いものであった。しかも、インナーは装着者の体に密着してフィット性が発揮されるというが、肌着として着用するのには、着心地が悪くフィット性も充分であるとは言えなかった。
【０００５】
本考案は、上述した従来の実情に鑑みてなされたものであり、フィット性に優れ、着用時の着心地に違和感を覚えることなく着心地が良く着用が行えるシャツを提供することを目的とする。
【課題を解決するための手段】
【０００６】
本考案者らは、シャツ本体と、そのシャツ本体の裏面に縫着されるインナー材との縫着に工夫を凝らすことにより、フィット性に優れ、着用時に違和感を覚えることなく着心地が良く着用が行えることを見い出し、本考案を完成させるに至った。
すなわち、本考案は以下のとおりである。
［１］
後身頃（３）、前記後身頃（３）の左右に開閉可能に連設される左前身頃（２）および右前身頃（２´）、首周りに設けられる襟部（４）、並びに、後身頃（３）、左前身頃（２）および右前身頃（２´）の左右の肩口に取付けられる袖部（６，６´）、を有するシャツ本体（１）と、前記シャツ本体（１）の裏面を覆うインナー材（７）とにより構成され、前記左前身頃（２）の一方端（２ａ）および前記右前身頃（２´）の他方端（２´ａ）に設けられた前合わせ部（８，８´）をもつシャツにおいて、
前記インナー材（７）は、前記シャツ本体（１）の脇部において、前記後身頃（３）、前記左前身頃（２）および前記右前身頃（２´）よりも小さく形成されるとともに、前記シャツ本体（１）よりも高い伸縮性を有する材料から形成されており、
前記インナー材（７）は、記左前身頃（２）の一方端（２ａ）と、前記右前身頃（２´）の他方端（２´ａ）と、にそれぞれ縫着され、
前記左前身頃（２）および前記右前身頃（２´）における肩部（２ｄ，２´ｄ）と、前記後身頃（３）における上縁部（３ｃ）と、にそれぞれ縫着され、
前記左前身頃（２）の上縁部（２ｃ）、前記右前身頃（２´）の上縁部（２´ｃ）および前記襟部（４）にそれぞれ縫着され、
前記袖部（６，６´）の袖ぐり（１２，１２´）に縫着されているが、
前記左前身頃（２）の他方端（２ｂ）および前記後身頃（３）の一方端（３ａ）と、前記右前身頃（２´）の一方端（２´ｂ）および前記後身頃（３）の他方端（３ｂ）とには縫着されていないことを特徴とするシャツ。
［２］
前記シャツ本体（１）は、さらに、前記襟部（４）と前記後身頃（３）との間に設けられる肩ヨーク（５）を有し、
前記インナー材（７）は、前記肩ヨーク（５）における前外縁部（５ａ，５´ａ）および後外縁部（５ｂ）にそれぞれ縫着され、そして、
前記肩ヨーク（５）の上縁部（５ｃ）に縫着されていることを特徴とする［１］に記載のシャツ。
［３］
前記インナー材（７）が、前開きの袖無しに形成されている、または半袖シャツ型に形成されていることを特徴とする［１］または［２］に記載のシャツ。
［４］
前記インナー材（７）が、前記左前身頃（２）における前合わせ部（８，８´）の先端部に内包される芯地材（１８）の裏面に設けられた間隙（Ｐ１）内に、差し込まれた状態で縫着され、
前記インナー材（７）が、前記右前身頃（２´）における前合わせ部（８，８´）の前面に縫着された縦長の前立部材（２１）に縫着されていることを特徴とする［１］〜［３］のいずれかに記載のシャツ。
［５］
前記インナー材（７）が、前記左前身頃（２）および前記右前身頃（２´）の襟側面から肩口に到る外縁部と、前記後身頃（３）の上縁部（３ｃ）と、前記肩ヨーク（５）の外縁部（５ａ，５´ａ）と、に重ね合わされた状態でステッチ縫い、またはロック縫いされており、
前記インナー材（７）が、台襟部（１４）の表地（１５）、および裏地（１６）の間に、芯地材（１８）を介装して前記肩ヨーク（５）の上縁部（５ｃ）と、前記左前身頃（２）の上縁部（２ｃ）と、前記右前身頃（２´）の上縁部（２´ｃ）とを差し込んで縫着されていることを特徴とする［２］〜［４］のいずれかに記載のシャツ。
［６］
前記インナー材（７）が、前記シャツ本体（１）の前記左前身頃（２）、前記右前身頃（２´）、前記後身頃（３）により構成される袖ぐり（１２，１２´）の全周にインターロック縫いにて縫着されていることを特徴とする［１］〜［５］のいずれかに記載のシャツ。
【考案の効果】
【０００７】
本考案によれば、シャツ本体と、そのシャツ本体の裏面に縫着されるインナー材との縫着に工夫を凝らすとともに、インナー材をシャツ本体と一体に着込むことにより、フィット性に優れ、着用時に違和感がなく着心地が良く着用が行え、しかも、インナー材は吸湿性、速乾性、保温性に優れ、肌着として最適であり、そして、インナー材が着用時、または洗濯時に形崩れがなく、保形性に優れ、さらには、構造的にも堅牢なシャツを提供することができる。
【図面の簡単な説明】
【０００８】
【図１】本考案のシャツの第一実施形態を示す正面図である。
【図２】図１に示すシャツの背面図である。
【図３】図１に示すシャツを裏返した状態を示す正面図である。
【図４】図１に示すシャツを構成する肩ヨーク、前身頃、後身頃に対するインナー材の縫着状態を示す平面図である。
【図５】シャツを構成する肩ヨーク、前身頃、後身頃の縫着状態を示す拡大横断面図である。
【図６】シャツを構成する襟、肩ヨークの縫着状態を説明的に示す拡大正面図である。
【図７】シャツを構成する左右の前身頃の前部合わせ部の縫着状態を示す拡大横断面図である。
【図８】袖部の付け根に脇パッドが縫着された状態を示す平面図である。
【図９】本考案のシャツの第二の実施形態を示す正面図である。
【図１０】図９に示すシャツの背面図である。
【図１１】図９に示すシャツを裏返した状態を示す正面図である。
【考案を実施するための形態】
【０００９】
以下、本考案の実施の形態について、図面を参照しながら説明する。
【００１０】
＜第一の実施形態＞
図１は、本実施の形態に係るシャツの一構成例を示す正面図であり、図２は背面図である。図３は図１に示すシャツを裏返した状態を示す正面図であり、図４は、図１に示すシャツを構成する肩ヨーク、前身頃、後身頃に対するインナー材の縫着状態を示す平面図である。なお、以下に示す図では、説明をわかりやすくするために、インナー材部分を網かけして示している。
本実施形態に係るシャツは、後身頃３、後身頃３の左右に開閉可能に連設される左前身頃２および右前身頃２′、首周りに設けられる襟部４、襟部４と後身頃３との間に設けられる肩ヨーク５、および肩ヨーク５の左右の肩口に取付けられる袖部６，６´、を有するシャツ本体１と、シャツ本体１の裏面を覆うインナー材７と、により構成される。図１に示す例では、袖部６，６´は、長袖である。
【００１１】
シャツ１は、全体が首から胸、下腹部に到る着丈Ｌをなし、左前身頃２の一方端２ａおよび右前身頃２′の他方端２´ａにそれぞれ設けられた前合わせ部８,８′が釦９ａと釦孔９ｂ、または雄雌のスナップ（図には示さず）よりなる係止具１０により係脱可能に開閉される、図示するような、例えばドレスシャツ又はカジュアルシャツである。
【００１２】
また、シャツ本体１は、外形が例えば前述のように、釦９ａと釦孔９ｂ、また、図示しない雄雌のスナップのような係止具１０を用いて左前身頃２、および右前身頃２′の前合わせ部８,８′相互を開閉可能となすドレスシャツ、カジュアルシャツに形成される。
【００１３】
図４に示すように、後身頃３はＤ〜Ｅ〜Ｊ〜Ｋ〜Ｑ〜Ｒ〜Ｄで囲まれる部分であり、左前身頃２はＫ〜Ｌ〜Ｍ〜Ｎ〜Ｐ〜Ｑ〜Ｋで囲まれる部分であり、そして、右前身頃２′はＡ〜Ｂ〜Ｃ〜Ｄ〜Ｒ〜Ｓ〜Ａで囲まれる部分である。また、襟部４はＵ〜Ｖ〜Ｗ〜Ｘ〜Ｕで囲まれる部分であり、肩ヨーク５はＥ〜Ｆ〜Ｇ〜Ｈ〜Ｉ〜Ｊ〜Ｅで囲まれる部分である。
右前身頃２´の肩部２´ｄ（Ｂ〜Ｃ）と肩ヨーク５の前外縁部５´ａ（Ｆ〜Ｇ）が縫着されることにより肩部１１´を形成し、左前身頃２の肩部２ｄ（Ｌ〜Ｍ）と肩ヨーク５の前外縁部５ａ（Ｈ〜Ｉ）が縫着されることにより肩部１１を形成する。また、左前身頃２の他方端２ｂと後身頃３の一方端３ａとが縫着されることにより脇部（Ｋ〜Ｑ）を形成し、右前身頃２′の一方端２′ｂと後身頃３の他方端３ｂとが縫着されることにより脇部（Ｄ〜Ｒ）を形成する。
【００１４】
そしてインナー材７は、後身頃３、左前身頃２、右前身頃２′および肩ヨーク５の裏面を覆うように配され、縫着されている。
具体的には、インナー材７は、左前身頃２の一方端２ａ（Ｎ〜Ｏ）と、右前身頃２′の他方端２′ａ（Ａ〜Ｔ）とにそれぞれ縫着される。また、インナー材７が、左前身頃２における肩部１１（Ｌ〜Ｍ）および右前身頃２′における肩部１１（Ｂ〜Ｃ）と、後身頃３における上縁部３ｃ（Ｅ〜Ｊ）と、肩ヨーク５における前外縁部５ａ，５ａ´（Ｆ〜Ｇ，Ｈ〜Ｉ）および後外縁部５ｂ（Ｅ〜Ｊ）にそれぞれ縫着される。また、インナー材７が、左前身頃２の上縁部２ｃ（Ｍ〜Ｎ）、肩ヨーク５の上縁部５ｃ（Ｇ〜Ｈ）、右前身頃２′の上縁部２′ｃ（Ａ〜Ｂ）、および襟部４（Ｕ〜Ｂ〜Ｍ〜Ｘ）と、にそれぞれ縫着される。そして、インナー材７が、袖部６，６´の袖ぐり１２,１２´（Ｃ〜Ｄ〜Ｆ、Ｉ〜Ｋ〜Ｌ）に縫着されている。
【００１５】
すなわち、本考案のシャツでは、インナー材７は、左前身頃２の他方端２ｂおよび後身頃３の一方端３ａ（Ｋ〜Ｑ）と、右前身頃２′の一方端２′ｂおよび後身頃３の他方端３ｂ（Ｄ〜Ｒ）とには縫着されていない。言い換えれば、シャツ本体１における脇部において、インナー材７はシャツ本体１に縫着されず、浮いた状態となっている。
インナー材７は、脇部（Ｄ〜Ｒ）において右前身頃２′側の側縁部７ａと後身頃３側の側縁部７ｂとが互いに例えばインターロック縫いにより互いに縫着され、脇部（Ｋ〜Ｑ）において後身頃３側の側縁部７ｃと左前身頃２側の側縁部７ｄとがインターロック縫いにより互いに縫着されている。
【００１６】
また、図３に示すように、インナー材７は少なくとも脇部において、シャツ本体１の左前身頃２，右前身頃２′および後身頃３よりも小さく形成されている。これによりインナー材７が着用者の身体により近くなり、身体へ密着してフィット性をより高めることができる。さらにインナー材７がシャツ本体１から浮いていることで通気性が高まり、放熱性、吸湿速乾性が向上し、より涼しく感じることができる。
なお、図３および後掲する図１１では、インナー材７がシャツ本体の前身頃２，２′よりも小さく形成されていることをわかりやすく示すために、インナー材の前見頃部分のみを示しているが、実際には、インナー材の前見頃部分と後身頃部分とは脇部分において縫着されている。
【００１７】
そして、このシャツ本体１は、例えばポリエステル、ポリエチレンのような合成樹脂繊維糸、或いは綿糸、またはこれら合成樹脂繊維糸と、綿糸との混合により形成される。シャツ本体１は、適宜図柄、適宜色彩を付すことにより形成される。
また、インナー材７は、ポリエステルのような合成樹脂繊維により形成される。なお、インナー材７が、シャツ本体１よりも高い伸縮性を有する材料から形成されていることが好ましい。これにより、インナー材７がシャツ本体１の左前身頃２，右前身頃２および後身頃３よりも小さく形成されていても、高い伸縮性により、着用者の身体にフィットすることができる。インナー材７は、例えばガーゼ生地、メッシュ状の生地であってもよい。インナー材７も、シャツ本体１の用途に合わせて、シャツ本体１と調和し、マッチする適宜図柄、適宜色彩を付すことができる。シャツ本体１とインナー材７とを同一色柄とすることにより、肌着の着用が不要であるシャツを着用していることを外観から悟られることがない。
【００１８】
インナー材７が、図３に示すように本実施形態１では前開きの袖無しシャツ型に成されているが、図示しないが、インナー材７は例えば半袖に形成されているものでもよい。
【００１９】
そして、インナー材７は、図４ではシャツ本体１の肩ヨーク５、左前身頃２、右前身頃２′、後身頃３により構成される袖ぐり１２,１２´の全周（Ｃ〜Ｄ〜Ｆ，Ｉ〜Ｋ〜Ｌ）にインターロック縫いにて縫着される。シャツ本体１の左前身頃２および右前身頃２′、および後身頃３に対してシャツ本体１の裏面にインナー材７を一緒にインターロック縫いすることにより容易且生産効率良く縫着することができる。しかも、シャツ本体１の裏面にインナー材７を構造堅牢に取付けることができ、着用時、または洗濯時に、シャツ本体１に対するインナー材７の移動量が小さく、形崩れがなくなり、保形性に優れる。
【００２０】
そして、例えば図５に示すように、インナー材７（７ｅ，７ｆ）が、左前身頃２および右前身頃２′の襟側面から肩口に到る外縁部と、肩部１１,１１´、および後身頃３の上縁部３ｃと、肩ヨーク５の前外縁部５ａ,５ａ´および後外縁部５ｂとに、重ね合わされた状態でステッチ縫い、またはロック縫いされている。
【００２１】
インナー材７が、例えば図６において、台襟部１４の表地１５、および裏地１６の各外縁部１５ａ,１６ａ相互を内側に対向して折り返した間に、肩ヨーク５の上縁部５ｃ,５ｃ´、および左右の前身頃２,２′の上縁部２ｃ,２′ｃと一緒にインナー材７の上縁部７ｇを差し込んで縫着する。
【００２２】
また、図７において、インナー材７が、左前身頃２における一方の前合わせ部８の先端部に内包される芯地材１８の裏面に設けられた間隙Ｐ１内に、差し込まれた状態で縫着されている。そして、芯地材１８が、釦９ａ、または雄スナップ（図には示さず）よりなる係止具１０を取付可能となす前合わせ部８の先端縁Ｓ１を内方へ折り返した部分に内包されている。このように、芯地材１８を前合わせ部８の先端縁Ｓ１を内方へ折り返した部分に内包したのは、芯地材１８による保形性により、前合わせ部８の形崩れを防止するためである。
【００２３】
また、インナー材７が、釦孔９ｂ、または雌スナップ（図には示さず）よりなる係止具１０を装着可能となす他方の前合わせ部８′における前身頃２′に縫着されている。この時、インナー材７（７ｈ）は、右前身頃２′の先端側を折り返した部分の折り返し端Ｓ２と一緒に折り返される。しかも、インナー材７（７ｈ）が、芯地材２０が内包されて前合わせ部８′の前面に縫着された縦長の前立部材２１に縫着されている。芯地材２０は、一端縁１９ａ、および他端縁１９ｂを内方へ折返して前立部材２１に内包される。このように、芯地材２０を前合わせ部８′の先端縁Ｓ２を内方へ折り返した部分に設けたのは、芯地材２０による保形性により、前合わせ部８′の形崩れを防止するためである。なお、図示しないが、インナー材７の下縁には、インナー材７の裾部の解れを防止するために、裾オーバーロック処理部が縫着処理されている。
【００２４】
本実施形態のシャツは、上述のように、インナー材７が、シャツ本体１に対し６個所で縫着されている構成であるので、装着者が本実施形態のシャツを装着したり、または、脱衣するのには、インナー材７と、このインナー材７が裏に縫着されているシャツ本体１の袖部６，６´とに腕を挿脱操作することにより、シャツ本体１を、その裏面に覆われたインナー材７と一緒に容易かつ確実に羽織ったり、または脱いだりすることができる。そして、シャツ本体１の左前身頃２および右前身頃２の前合わせ部８,８′に設けられた釦９ａと釦孔９ｂ、または図示しない雄スナップと雌スナップのような係止具１０を係脱操作することにより、シャツ本体１をインナー材７と一緒に装着または脱衣する。そして、シャツ本体１の下方をズボンやスカート内に挿入すれば、きちんと整然とした格好にシャツ本体１を着付けられるので、シャツ本体１は職場や公式の場所での装着に適する装いになる。
【００２５】
そして、シャツ本体１の裏面を覆うように縫着されたインナー材７は、前述のように６個所にてシャツ本体１に縫着されているので、着用時の着心地に違和感がなく、フィット性に優れる。特に、本考案のシャツでは、インナー材７をシャツ本体１の脇部には縫着していないことで、インナー材７は脇部においてシャツ本体１から浮いた状態になり、身体に密着することができ、フィット性、快適性をより高めることができる。
【００２６】
また、シャツ本体１の裏面に縫着されるインナー材７をシャツ本体１と一体に着込むことにより、汗をかいた場合に吸水性、速乾性に優れ、夏期においても肌着としてムレやベタつきがなく爽快に着用が行え、しかも、保温性は良好であるので、従来のシャツのように、シャツとは個別に肌着を着込まなくても、インナー材７は肌着として適正に着用を行うことができる。
【００２７】
この際、インナー材７は、シャツ本体１の肩ヨーク５、左前身頃２および右前身頃２′、後身頃３により構成される袖ぐり１２,１２´の全周にインターロック縫いにて縫着された袖無し状に形成されているので、インナー材７に腕が引掛かることなしに、円滑かつ迅速に袖部６，６´に腕を通すことができるため、インナー材７を肌着として、シャツ本体１と一緒に容易かつ円滑に着用および脱衣することができる。
【００２８】
また、本実施形態１のシャツでは、シャツ本体１と、該シャツ本体１の裏面を覆うインナー材７とは、前述のように６個所にて縫着されるので、シャツは構造堅牢な仕上がりになり、シャツ本体１内においてインナー材７が不用意に遊離して大きな移動量により移動されることはなく、着用時、または洗濯時にシャツ本体１およびインナー材７の双方ともに形崩れがなく、保形性が維持される。そして、構造堅牢になり、乾燥したり、折り畳んで収納する場合にも、管理が容易である。
【００２９】
インナー材７は、放熱性、吸湿速乾性、ストレッチ性に優れた素材からなることが好ましい。放熱性に優れることにより、熱気を素早く外に放出し、長時間着用しても爽やかで涼しい。吸湿速乾性に優れることにより、汗や水分を素早く吸収および発散してサラサラ感を維持することができ、汗をかいても気にならず一日中快適でいられる。また、ストレッチ性に優れることにより、縦横どの方向にもしっかりストレッチして動作を妨げず、着心地が良好である。
【００３０】
さらに、図４および図８に示すように、左前身頃２および右前身頃２′、後身頃３により構成される袖ぐり１２,１２´の下側周縁部に脇パッド１３，１３´が縫着されていてもよい。この脇パッド１３，１３´は、吸水性および乾燥性に優れたパッド材からなる。この脇パッド１３，１３´は、着用者がシャツを着用した際に、着用者の脇下に接触することにより、着用者の汗を吸収し、汗が染み出ることを防止できる。よって、汗をかいても見苦しくはない。
【００３１】
例えば出張や旅行の際に、シャツと、シャツとは別個に肌着を持参しなければならないが、本考案のシャツを用いることで、シャツと肌着とを１枚で兼ねることができ、別個に肌着の持参が不要となり、荷物を減らすことができる。
さらに、本考案のシャツには他の機能を付与してもよい。例えば、シャツ本体１としてＵＶカット素材を用いることにより、夏の紫外線から肌を守ることができる。
【００３２】
＜第二の実施形態＞
以下、本考案の第二の実施形態について説明する。なお、以下の説明では、上述した第一の実施形態と異なる部分について説明し、共通する部分については、その説明を省略する。
図９は、本実施の形態に係るシャツの一構成例を示す正面図であり、図１０は背面図である。図１１は図９に示すシャツを裏返した状態を示す正面図である。
本実施形態では、シャツ本体１の左右の肩口に取付けられる袖部２２,２２′が半袖である点、および、襟部４と後身頃３との間に設けられる肩ヨークがなく、後身頃３の肩部と、左前身頃２の肩部および右前身頃２´の肩部とが直接縫着されて肩部１１，１１´を構成している点が異なる構成であり、そのほかは第一の実施形態と同様の構成、作用・効果である。また前身頃２，２´および後身頃３にダーツ２３，２４が形成されていてもよい。
【００３３】
さらに、本実施形態では、左前身頃２と右前身頃２′との打ち合わせが、第一の実施形態とは逆になっている。すなわち、第一の実施形態で示したシャツの打ち合わせが、左前身頃２の前合わせ部８が右前身頃２′の前合わせ部８′の上にかぶさる、いわゆる右前であるのに対して、本実施形態のシャツの打ち合わせは、右前身頃２′の前合わせ部８′が左前身頃２の前合わせ部８の上にかぶさる、いわゆる左前となっている。この場合、釦９ａは左前身頃２の前合わせ部８に設けられ、釦孔９ｂは右前身頃２′の前合わせ部８′に設けられる。
一般的に、第一の実施形態で示した右前合わせのシャツは男性用とされ、第二の実施形態で示す左前合わせのシャツは女性用とされるが、これに限定されるものではない。
【００３４】
このような第二の実施形態に係るシャツにおいても、シャツ本体１の裏面を覆うようにインナー材７が縫着されているので、着用時の着心地に違和感がなく、フィット性に優れる。特に、本考案のシャツでは、インナー材７をシャツ本体１の脇部には縫着していないことで、インナー材７は脇部においてシャツ本体１の脇部から浮いた状態になり、身体に密着することができ、フィット性、快適性を高めることができる。
【００３５】
また、図１０に示すように、インナー材７は少なくとも脇部において、シャツ本体１の左前身頃２，右前身頃２および後身頃３よりも小さく形成されていることによりインナー材７が着用者の身体により近くなり、身体へ密着してフィット性をより高めることができる。さらにインナー材７がシャツ本体１から浮いていることで通気性が高まり、放熱性、吸湿速乾性が向上し、より涼しく感じることができる。
【００３６】
以上、本考案の実施の形態について説明してきたが、本考案はこれに限定されるものではなく、考案の趣旨を逸脱しない範囲で適宜変更可能である。
【産業上の利用可能性】
【００３７】
本考案は、シャツ本体の裏面に縫着されるインナー材をシャツ本体と一体に着込むことにより、着用時に違和感がなく着心地が良く着用が行える。また、シャツ本体とインナー材との縫着に工夫を凝らすことにより、フィット性に優れる。しかも、インナー材は吸湿性、速乾性、保温性に優れ、肌着として最適である。そして、インナー材が着用時、または洗濯時に形崩れがなく、保形性に優れ、さらには、構造的にも堅牢になす用途・機能に適する。
【符号の説明】
【００３８】
１    シャツ本体
２    左前身頃
２ａ    一方端
２ｂ    他方端
２ｃ    上縁部
２ｄ    肩部
２′    右前身頃
２´ａ    他方端
２´ｂ    一方端部
２´ｃ    上縁部
２´ｄ    肩部
３    後身頃
３ａ    一方端
３ｂ    他方端
３ｃ    上縁部
４    襟部
５    肩ヨーク
５ａ，５´ａ    前外縁部
５ｂ    後外縁部
５ｃ    上縁部
６，６′    袖部
７    インナー材
８，８′    前合わせ部
９ａ    釦
９ｂ    釦孔
１０    係止具
１２，１２´    袖ぐり
１３，１３´    脇パッド
２２，２２´    袖部
【図１】
0003211725.tif 000003
【図２】
0003211725.tif 000004
【図３】
0003211725.tif 000005
【図４】
0003211725.tif 000006
【図５】
0003211725.tif 000007
【図６】
0003211725.tif 000008
【図７】
0003211725.tif 000009
【図８】
0003211725.tif 000010
【図９】
0003211725.tif 000011
【図１０】
0003211725.tif 000012
【図１１】
0003211725.tif 000013
【手続補正書】
【提出日】平成29年6月8日(2017.6.8)
【手続補正１】
【補正対象書類名】明細書
【補正対象項目名】０００６
【補正方法】変更
【補正の内容】
【０００６】
本考案者らは、シャツ本体と、そのシャツ本体の裏面に縫着されるインナー材との縫着に工夫を凝らすことにより、フィット性に優れ、着用時に違和感を覚えることなく着心地が良く着用が行えることを見い出し、本考案を完成させるに至った。
すなわち、本考案は以下のとおりである。
［１］
後身頃（３）、前記後身頃（３）の左右に開閉可能に連設される左前身頃（２）および右前身頃（２´）、首周りに設けられる襟部（４）、並びに、後身頃（３）、左前身頃（２）および右前身頃（２´）の左右の肩口に取付けられる袖部（６，６´）、を有するシャツ本体（１）と、前記シャツ本体（１）の裏面を覆うインナー材（７）とにより構成され、前記左前身頃（２）の一方端（２ａ）および前記右前身頃（２´）の他方端（２´ａ）に設けられた前合わせ部（８，８´）をもつシャツにおいて、
前記インナー材（７）は、前記シャツ本体（１）の脇部において、前記後身頃（３）、前記左前身頃（２）および前記右前身頃（２´）よりも小さく形成されるとともに、前記シャツ本体（１）よりも高い伸縮性を有する材料から形成されており、
前記インナー材（７）は、前記左前身頃（２）の一方端（２ａ）と、前記右前身頃（２´）の他方端（２´ａ）と、にそれぞれ縫着され、
前記左前身頃（２）および前記右前身頃（２´）における肩部（２ｄ，２´ｄ）と、前記後身頃（３）における上縁部（３ｃ）と、にそれぞれ縫着され、
前記左前身頃（２）の上縁部（２ｃ）、前記右前身頃（２´）の上縁部（２´ｃ）および前記襟部（４）にそれぞれ縫着され、
前記袖部（６，６´）の袖ぐり（１２，１２´）に縫着されているが、
前記左前身頃（２）の他方端（２ｂ）および前記後身頃（３）の一方端（３ａ）と、前記右前身頃（２´）の一方端（２´ｂ）および前記後身頃（３）の他方端（３ｂ）とには縫着されていないことを特徴とするシャツ。
［２］
前記シャツ本体（１）は、さらに、前記襟部（４）と前記後身頃（３）との間に設けられる肩ヨーク（５）を有し、
前記インナー材（７）は、前記肩ヨーク（５）における前外縁部（５ａ，５´ａ）および後外縁部（５ｂ）にそれぞれ縫着され、そして、
前記肩ヨーク（５）の上縁部（５ｃ）に縫着されていることを特徴とする［１］に記載のシャツ。
［３］
前記インナー材（７）が、前開きの袖無しに形成されている、または半袖シャツ型に形成されていることを特徴とする［１］または［２］に記載のシャツ。
［４］
前記インナー材（７）が、前記左前身頃（２）における前合わせ部（８，８´）の先端部に内包される芯地材（１８）の裏面に設けられた間隙（Ｐ１）内に、差し込まれた状態で縫着され、
前記インナー材（７）が、前記右前身頃（２´）における前合わせ部（８，８´）の前面に縫着された縦長の前立部材（２１）に縫着されていることを特徴とする［１］〜［３］のいずれかに記載のシャツ。
［５］
前記インナー材（７）が、前記左前身頃（２）および前記右前身頃（２´）の襟側面から肩口に到る外縁部と、前記後身頃（３）の上縁部（３ｃ）と、前記肩ヨーク（５）の外縁部（５ａ，５´ａ）と、に重ね合わされた状態でステッチ縫い、またはロック縫いされており、
前記インナー材（７）が、台襟部（１４）の表地（１５）、および裏地（１６）の間に、芯地材（１８）を介装して前記肩ヨーク（５）の上縁部（５ｃ）と、前記左前身頃（２）の上縁部（２ｃ）と、前記右前身頃（２´）の上縁部（２´ｃ）とを差し込んで縫着されていることを特徴とする［２］に記載のシャツ。
［６］
前記インナー材（７）が、前記シャツ本体（１）の前記左前身頃（２）、前記右前身頃（２´）、前記後身頃（３）により構成される袖ぐり（１２，１２´）の全周にインターロック縫いにて縫着されていることを特徴とする［１］〜［５］のいずれかに記載のシャツ。
【手続補正２】
【補正対象書類名】実用新案登録請求の範囲
【補正対象項目名】全文
【補正方法】変更
【補正の内容】
【実用新案登録請求の範囲】
【請求項１】
後身頃（３）、前記後身頃（３）の左右に開閉可能に連設される左前身頃（２）および右前身頃（２´）、首周りに設けられる襟部（４）、並びに、後身頃（３）、左前身頃（２）および右前身頃（２´）の左右の肩口に取付けられる袖部（６，６´）、を有するシャツ本体（１）と、前記シャツ本体（１）の裏面を覆うインナー材（７）とにより構成され、前記左前身頃（２）の一方端（２ａ）および前記右前身頃（２´）の他方端（２´ａ）に設けられた前合わせ部（８，８´）をもつシャツにおいて、
前記インナー材（７）は、前記シャツ本体（１）の脇部において、前記後身頃（３）、前記左前身頃（２）および前記右前身頃（２´）よりも小さく形成されるとともに、前記シャツ本体（１）よりも高い伸縮性を有する材料から形成されており、
前記インナー材（７）は、前記左前身頃（２）の一方端（２ａ）と、前記右前身頃（２´）の他方端（２´ａ）と、にそれぞれ縫着され、
前記左前身頃（２）および前記右前身頃（２´）における肩部（２ｄ，２´ｄ）と、前記後身頃（３）における上縁部（３ｃ）と、にそれぞれ縫着され、
前記左前身頃（２）の上縁部（２ｃ）、前記右前身頃（２´）の上縁部（２´ｃ）および前記襟部（４）にそれぞれ縫着され、
前記袖部（６，６´）の袖ぐり（１２，１２´）に縫着されているが、
前記左前身頃（２）の他方端（２ｂ）および前記後身頃（３）の一方端（３ａ）と、前記右前身頃（２´）の一方端（２´ｂ）および前記後身頃（３）の他方端（３ｂ）とには縫着されていないことを特徴とするシャツ。
【請求項２】
前記シャツ本体（１）は、さらに、前記襟部（４）と前記後身頃（３）との間に設けられる肩ヨーク（５）を有し、
前記インナー材（７）は、前記肩ヨーク（５）における前外縁部（５ａ，５´ａ）および後外縁部（５ｂ）にそれぞれ縫着され、そして、
前記肩ヨーク（５）の上縁部（５ｃ）に縫着されていることを特徴とする請求項１に記載のシャツ。
【請求項３】
前記インナー材（７）が、前開きの袖無しに形成されている、または半袖シャツ型に形成されていることを特徴とする請求項１または２に記載のシャツ。
【請求項４】
前記インナー材（７）が、前記左前身頃（２）における前合わせ部（８，８´）の先端部に内包される芯地材（１８）の裏面に設けられた間隙（Ｐ１）内に、差し込まれた状態で縫着され、
前記インナー材（７）が、前記右前身頃（２´）における前合わせ部（８，８´）の前面に縫着された縦長の前立部材（２１）に縫着されていることを特徴とする請求項１〜請求項３のいずれか一項に記載のシャツ。
【請求項５】
前記インナー材（７）が、前記左前身頃（２）および前記右前身頃（２´）の襟側面から肩口に到る外縁部と、前記後身頃（３）の上縁部（３ｃ）と、前記肩ヨーク（５）の外縁部（５ａ，５´ａ）と、に重ね合わされた状態でステッチ縫い、またはロック縫いされており、
前記インナー材（７）が、台襟部（１４）の表地（１５）、および裏地（１６）の間に、芯地材（１８）を介装して前記肩ヨーク（５）の上縁部（５ｃ）と、前記左前身頃（２）の上縁部（２ｃ）と、前記右前身頃（２´）の上縁部（２´ｃ）とを差し込んで縫着されていることを特徴とする請求項２に記載のシャツ。
【請求項６】
前記インナー材（７）が、前記シャツ本体（１）の前記左前身頃（２）、前記右前身頃（２´）、前記後身頃（３）により構成される袖ぐり（１２，１２´）の全周にインターロック縫いにて縫着されていることを特徴とする請求項１〜請求項５のいずれか一項に記載のシャツ。